(57)【要約】      （修正有）【課題】連結部材を没入状態から突出状態に突出摺動させることにより隣接する枠本体及び天板体からなる本体を連結することができると共に連結部材を突出状態から没入状態に没入摺動させることにより隣接する本体を分離することができ、合成樹脂製の複数個の収納ケースの本体を容易に連結又は分離することができる簡素な構造の連結機構の提供。【解決手段】本体を左右方向に複数個並列状に連結可能な連結機構Ｒが設けられ、連結機構として、上記天板体の左右辺部にそれぞれ天板係脱部２ａ・２ｂが形成され、隣接する本体の各天板体の天板係脱部間に係脱摺動自在に架設される連結部材４を設け、天板体の左右辺部の天板係脱部のうち、一方の天板係脱部は連結部材を左右方向に突没摺動自在に配置可能な突没係脱部５に形成され、他方の天板係脱部は上記連結部材の突没摺動により係脱自在な嵌脱穴部６に形成されてなる。【選択図】図４
2018110665.tif 000002
【特許請求の範囲】
【請求項１】
底板、左右の側板、後板からなる前面及び上面が開口した合成樹脂製の枠本体と、該枠本体の上面を覆う合成樹脂製の天板体と、該枠本体及び天板体からなる本体の前面の開口部を介して引出収納自在に設けられ、上面が開口した合成樹脂製の引出体とからなり、上記本体を左右方向に複数個並列状に連結可能な連結機構が設けられ、該連結機構として、上記天板体の左右辺部にそれぞれ天板係脱部が形成され、隣接する本体の各天板体の天板係脱部間に係脱摺動自在に架設される連結部材を設け、天板体の左右辺部の天板係脱部のうち、一方の天板係脱部は該連結部材を左右方向に突没摺動自在に配置可能な突没係脱部に形成され、他方の天板係脱部は上記連結部材の突没摺動により係脱自在な嵌脱穴部に形成されてなることを特徴とする収納ケース。
【請求項２】
底板、左右の側板、後板からなる前面及び上面が開口した上下に積み重ね可能な複数個の合成樹脂製の枠本体と、該積み重ねられた最上位の枠本体の上面を覆う合成樹脂製の天板体と、該複数個の枠本体及び天板体からなる本体の前面の複数個の開口部を介してそれぞれ引出収納自在に設けられ、上面が開口した複数個の合成樹脂製の引出体とからなり、上記本体を左右方向に複数個並列状に連結可能な連結機構が設けられ、該連結機構として、上記天板体の左右辺部にそれぞれ天板係脱部が形成され、隣接する本体の各天板体の天板係脱部間に係脱摺動自在に架設される連結部材を設け、天板体の左右辺部の天板係脱部のうち、一方の天板係脱部は該連結部材を左右方向に突没摺動自在に配置可能な突没係脱部に形成され、他方の天板係脱部は上記連結部材の突没摺動により係脱自在な嵌脱穴部に形成されてなることを特徴とする収納ケース。
【発明の詳細な説明】
【技術分野】
【０００１】
本発明は、例えば一般家庭に設置されて衣類や各種小物類等を整理収納する際に用いられる収納ケースに関するものである。
【背景技術】
【０００２】
従来、この種の収納ケースとして、底板、左右の側板、後板からなる前面及び上面が開口した合成樹脂製の枠本体と、枠本体の上面を覆う合成樹脂製の天板体と、枠本体及び天板体からなる本体の前面の開口部を介して引出収納自在に設けられ、上面が開口した合成樹脂製の引出体とからなる構造のものが知られている。
【先行技術文献】
【特許文献】
【０００３】
【特許文献１】特許第５８５８４８８号
【発明の概要】
【発明が解決しようとする課題】
【０００４】
しかしながらこれら従来構造の場合、上記本体を左右方向に複数個並列状に配置したとき、木製の本体に比べて合成樹脂製の本体は軽量であることから位置的に容易にずれる不安定な配置状態となり、隣接する本体間に隙間が生ずることがあり、複数個の本体を左右方向に並列状に安定的に配置することができないことがあるという不都合を有している。
【課題を解決するための手段】
【０００５】
本発明はこれらの不都合を解決することを目的とするもので、本発明のうちで、請求項１記載の発明は、底板、左右の側板、後板からなる前面及び上面が開口した合成樹脂製の枠本体と、該枠本体の上面を覆う合成樹脂製の天板体と、該枠本体及び天板体からなる本体の前面の開口部を介して引出収納自在に設けられ、上面が開口した合成樹脂製の引出体とからなり、上記本体を左右方向に複数個並列状に連結可能な連結機構が設けられ、該連結機構として、上記天板体の左右辺部にそれぞれ天板係脱部が形成され、隣接する本体の各天板体の天板係脱部間に係脱摺動自在に架設される連結部材を設け、天板体の左右辺部の天板係脱部のうち、一方の天板係脱部は該連結部材を左右方向に突没摺動自在に配置可能な突没係脱部に形成され、他方の天板係脱部は上記連結部材の突没摺動により係脱自在な嵌脱穴部に形成されてなることを特徴とする収納ケースにある。
【０００６】
又、請求項２記載の発明は、底板、左右の側板、後板からなる前面及び上面が開口した上下に積み重ね可能な複数個の合成樹脂製の枠本体と、該積み重ねられた最上位の枠本体の上面を覆う合成樹脂製の天板体と、該複数個の枠本体及び天板体からなる本体の前面の複数個の開口部を介してそれぞれ引出収納自在に設けられ、上面が開口した複数個の合成樹脂製の引出体とからなり、上記本体を左右方向に複数個並列状に連結可能な連結機構が設けられ、該連結機構として、上記天板体の左右辺部にそれぞれ天板係脱部が形成され、隣接する本体の各天板体の天板係脱部間に係脱摺動自在に架設される連結部材を設け、天板体の左右辺部の天板係脱部のうち、一方の天板係脱部は該連結部材を左右方向に突没摺動自在に配置可能な突没係脱部に形成され、他方の天板係脱部は上記連結部材の突没摺動により係脱自在な嵌脱穴部に形成されてなることを特徴とする収納ケースにある。
【発明の効果】
【０００７】
本発明は上述の如く、請求項１記載の発明にあっては、連結部材を没入状態から突出状態に突出摺動させることにより隣接する枠本体及び天板体からなる本体を連結することができると共に連結部材を突出状態から没入状態に没入摺動させることにより隣接する本体を分離することができ、合成樹脂製の複数個の収納ケースの本体を容易に連結又は分離することができ、連結機構の構造を簡素化することができると共に使用の利便性を高めることができる。
【０００８】
又、請求項２記載の発明にあっては、連結部材を没入状態から突出状態に突出摺動させることにより隣接する複数個の枠本体及び天板体からなる本体を連結することができると共に連結部材を突出状態から没入状態に没入摺動させることにより隣接する本体を分離することができ、合成樹脂製の複数個の収納ケースの本体を容易に連結又は分離することができ、連結機構の構造を簡素化することができると共に使用の利便性を高めることができる。
【図面の簡単な説明】
【０００９】
【図１】本発明の実施の第一形態例の全体斜視図である。
【図２】本発明の実施の第一形態例の全体斜視図である。
【図３】本発明の実施の第一形態例の全体斜視図である。
【図４】本発明の実施の第一形態例の部分分解斜視図である。
【図５】本発明の実施の第一形態例の部分分解斜視図である。
【図６】本発明の実施の第一形態例の部分平面図である。
【図７】本発明の実施の第一形態例の部分分離側断面図である。
【図８】本発明の実施の第一形態例の部分横断面図である。
【図９】本発明の実施の第一形態例の部分側断面図である。
【図１０】本発明の実施の第二形態例の全体斜視図である。
【図１１】本発明の実施の第二形態例の部分分離斜視図である。
【発明を実施するための形態】
【００１０】
図１乃至図１１は本発明の実施の各種の形態例を示し、図１乃至図９は第一形態例、図１０、図１１は第二形態例である。
【００１１】
図１乃至図９の第一形態例において、１・１は枠本体であって、合成樹脂製にして、図１、図２の如く、それぞれ底板１ａ、左右の側板１ｂ・１ｂ、後板１ｃからなり、前面及び上面が開口した枠状に形成されている。
【００１２】
２は天板体であって、合成樹脂製にして、図１、図２の如く、上記枠本体１の上面を覆って枠本体１・１にそれぞれ着脱自在に取り付けられ、上記枠本体１及び天板体２からなる本体Ｄを二個左右方向に並列状に配置し、この二個の隣接する本体Ｄ・Ｄを連結可能な連結機構Ｒが設けられている。
【００１３】
３は引出体であって、合成樹脂製にして、図１、図２の如く、底板３ａ、前板３ｂ、左右の側板３ｃ・３ｃ、後板３ｄからなり、この場合、底板３ａの左右辺部に左右の側板３ｃ・３ｃ及び後辺部に後板３ｄを一体に形成し、底板３ａ及び左右の側板３ｃ・３ｃの前部に前板３ｂを着脱自在に取り付け、しかして、引出体３は上面が開口した容器状に形成され、上記枠本体１及び天板体２からなる本体Ｄの前面の開口部を介して引出収納自在に設けられ、上記枠本体１、上記天板体２及び上記引出体３により収納ケースＫが形成されることになる。
【００１４】
この場合、上記連結機構Ｒとして、図３乃至図９の如く、上記天板体２の左右辺部にそれぞれ天板係脱部２ａ・２ｂが形成され、隣接する本体Ｄ・Ｄの各天板体２・２の天板係脱部２ａ・２ｂ間に係脱摺動自在に架設される連結部材４を設け、天板体２の左右辺部の天板係脱部２ａ・２ｂのうち、一方の天板係脱部２ａは連結部材４を左右方向に突没摺動自在に配置可能な突没係脱部５に形成され、他方の天板係脱部２ｂは上記連結部材４の突没摺動により係脱自在な嵌脱穴部６に形成されている。
【００１５】
さらに、この場合、図４、図５、図６の如く、上記連結部材４は四角板状に形成され、一方の天板係脱部２ａの上記突没係脱部５は、連結部材４の両側面に摺接する摺接面５ａ・５ａ及び連結部材４の後面が当接する規制面５ｂからなる嵌合凹部５ｃに形成され、かつ、連結部材４の両側部に一対のガイド突片４ａ・４ａを形成し、嵌合凹部５ｃにガイド突片４ａ・４ａが摺動する一対の摺動長穴５ｄ・５ｄを形成し、一方の天板係脱部２ａに連結部材４を左右方向に突没摺動自在に配置し、連結部材４の先端部に弾性凸片４ｂを形成し、弾性凸片４ｂの先端に係脱凸部４ｃを形成し、他方の天板係脱部２ｂの嵌脱穴部６は、上記弾性凸片４ｂ及び係脱凸部４ｃが嵌脱する穴部６ａが形成され、さらに、連結部材４の底面に乗越凸部４ｄが形成され、連結部材４の左右端部に指掛凹部４ｅ・４ｅが形成され、図７の如く、嵌合凹部５ｃの底面に乗越凸部４ｄが乗り越え可能であって乗越凸部４ｄに当接して連結部材４を一方の天板係脱部２ａに停留可能な規制凸部５ｅが形成され、図９の如く、嵌脱穴部６の穴部６ａの内面上部に係脱凸部４ｃが嵌脱する嵌脱凸部６ｂが形成されている。
【００１６】
７は積重安定機構であって、この場合、図１、図２、図３の如く、上記天板体２の上面に上記引出体３の引出収納方向と直交する方向に延びる凹状溝部７ａ・７ａを形成すると共に上記枠本体１の底板１ａの底面に凹状溝部７ａ・７ａに摺動自在な前後一対ずつの計四個の嵌合部１ｄ・１ｄ・１ｄ・１ｄを設けている。
【００１７】
この実施の第一形態例は上記構成であるから、上記二個の本体Ｄ・Ｄを連結機構Ｒにより左右方向に並列状に連結固定することができ、合成樹脂製の二個の本体Ｄ・Ｄを安定的に連結配置することができ、隣接する枠本体１・１及び天板体２・２からなる本体Ｄ・Ｄを隙間無く連結固定することができ、連結機構Ｒとして、上記天板体２の左右辺部にそれぞれ天板係脱部２ａ・２ｂが形成され、隣接する本体Ｄ・Ｄの各天板体２・２の天板係脱部２ａ・２ｂ間に係脱摺動自在に架設される連結部材４を設け、天板体２の左右辺部の天板係脱部２ａ・２ｂのうち、一方の天板係脱部２ａは連結部材４を左右方向に突没摺動自在に配置可能な突没係脱部５に形成され、他方の天板係脱部２ｂは上記連結部材４の突没摺動により係脱自在な嵌脱穴部６に形成されているから、連結部材４を図７の没入状態から図９の突出状態に突出摺動させることにより隣接する枠本体１・１及び天板体２・２からなる本体Ｄ・Ｄを連結することができると共に連結部材４を図９の突出状態から図７の没入状態に没入摺動させることにより隣接する本体Ｄ・Ｄを分離することができ、合成樹脂製の収納ケースＫの二個の本体Ｄ・Ｄを容易に連結又は分離することができ、連結機構Ｒの構造を簡素化することができると共に使用の利便性を高めることができる。
【００１８】
この場合、図５の如く、上記連結部材４は四角板状に形成され、一方の天板係脱部２ａの上記突没係脱部５は、連結部材４の両側面に摺接する摺接面５ａ・５ａ及び連結部材４の後面が当接する規制面５ｂからなる嵌合凹部５ｃに形成され、かつ、連結部材４の両側部に一対のガイド突片４ａ・４ａを形成し、嵌合凹部５ｃにガイド突片４ａ・４ａが摺動する一対の摺動長穴５ｄ・５ｄを形成し、一方の天板係脱部２ａに連結部材４を左右方向に突没摺動自在に配置し、連結部材４の先端部に弾性凸片４ｂを形成し、弾性凸片４ｂの先端に係脱凸部４ｃを形成し、他方の天板係脱部２ｂの嵌脱穴部６は、上記弾性凸片４ｂ及び係脱凸部４ｃが嵌脱する穴部６ａが形成され、さらに、連結部材４の底面に乗越凸部４ｄが形成され、連結部材４の左右端部に指掛凹部４ｅ・４ｅが形成され、図７の如く、嵌合凹部５ｃの底面に乗越凸部４ｄが乗り越え可能であって乗越凸部４ｄに当接して連結部材４を一方の天板係脱部２ａに停留可能な規制凸部５ｅが形成され、図９の如く、嵌脱穴部６の穴部６ａの内面上部に係脱凸部４ｃが嵌脱する嵌脱凸部６ｂが形成されているから、連結部材４の突没摺動を円滑に行うことができ、収納ケースＫの隣接する二個の本体Ｄ・Ｄを容易に連結又は分離することができ、連結機構Ｒの構造を簡素化することができると共に使用の利便性を高めることができる。
【００１９】
又、この場合、上記積重安定機構７により、例えば、図示省略の複数個の収納ケースＫ・Ｋ・・を積み重ねた積重状態において、上記積重安定機構７の上記凹状溝部７ａ・７ａと上記嵌合部１ｄ・１ｄ・１ｄ・１ｄとの嵌合により、それぞれ上段の収納ケースＫの前側への滑り落ちを防ぐことができ、積み重ねの安定性を高めることができ、かつ、積み重ね状態の安定を維持しつつ収納ケースＫの幅方向、すなわち、引出体３の引出収納方向と直交する左右方向の相互の配置位置を容易に変更することができ、積み重ねの配置位置の融通性を高めることができ、各種の使用態様、設置位置、各種の収納物等に応じて積み重ねの配置位置を変えることができ、収納ケースＫの使用位置の融通性及び快適性を高めることができる。
【００２０】
図１０、図１１の第二形態例は別例構造を示し、この場合、図１０、図１１の如く、上記第一形態例と同様な底板１ａ、左右の側板１ｂ・１ｂ、後板１ｃからなる前面及び上面が開口した上下に積み重ね可能な二個の合成樹脂製の枠本体１・１と、積み重ねられた最上位の枠本体１の上面を覆う上記第一形態例と同様な合成樹脂製の天板体２と、二個の枠本体１・１及び天板体２からなる本体Ｄの前面の二個の開口部を介してそれぞれ引出収納自在に設けられ、上面が開口した二個の合成樹脂製の引出体３・３とからなる本体Ｄを二個用意し、この二個の本体Ｄ・Ｄを左右方向に並列状に連結する連結機構Ｒが設けられ、連結機構Ｒは上記第一形態例の構造と同様な構造を採用し、連結機構Ｒにより連結して、収納ケースＫを形成している。
【００２１】
すなわち、上記連結機構Ｒとして、図４乃至図９の如く、上記天板体２の左右辺部にそれぞれ天板係脱部２ａ・２ｂが形成され、隣接する本体Ｄ・Ｄの各天板体２・２の天板係脱部２ａ・２ｂ間に係脱摺動自在に架設される連結部材４を設け、天板体２の左右辺部の天板係脱部２ａ・２ｂのうち、一方の天板係脱部２ａは連結部材４を左右方向に突没摺動自在に配置可能な突没係脱部５に形成され、他方の天板係脱部２ｂは上記連結部材４の突没摺動により係脱自在な嵌脱穴部６に形成されている。
【００２２】
さらに、この実施の第二形態例にあっても、図４、図５の如く、上記連結部材４は四角板状に形成され、一方の天板係脱部２ａの上記突没係脱部５は、連結部材４の両側面に摺接する摺接面５ａ・５ａ及び連結部材４の後面が当接する規制面５ｂからなる嵌合凹部５ｃに形成され、かつ、連結部材４の両側部に一対のガイド突片４ａ・４ａを形成し、嵌合凹部５ｃにガイド突片４ａ・４ａが摺動する一対の摺動長穴５ｄ・５ｄを形成し、一方の天板係脱部２ａに連結部材４を左右方向に突没摺動自在に配置し、連結部材４の先端部に弾性凸片４ｂを形成し、弾性凸片４ｂの先端に係脱凸部４ｃを形成し、他方の天板係脱部２ｂの嵌脱穴部６は、上記弾性凸片４ｂ及び係脱凸部４ｃが嵌脱する穴部６ａが形成され、さらに、連結部材４の底面に乗越凸部４ｄが形成され、連結部材４の左右端部に指掛凹部４ｅ・４ｅが形成され、図７の如く、嵌合凹部５ｃの底面に乗越凸部４ｄが乗り越え可能であって乗越凸部４ｄに当接して連結部材４を一方の天板係脱部２ａに停留可能な規制凸部５ｄが形成され、図９の如く、嵌脱穴部６の穴部６ａの内面上部に係脱凸部４ｃが嵌脱する嵌脱凸部６ｂが形成されている。
【００２３】
さらに、この第二形態例においても、上記第一形態例と同様な積重安定機構７を採用している。
【００２４】
この実施の第二形態例にあっては、図１０、図１１の如く、連結機構Ｒにより合成樹脂製の二個の本体Ｄ・Ｄを安定的に連結配置することができ、隣接する四個の枠本体１・１・１・１及び天板体２・２からなる二個の本体Ｄ・Ｄを隙間無く連結固定することができ、かつ、連結機構Ｒは上記第一形態例と同様な構造に連結機構Ｒとして、上記天板体２の左右辺部にそれぞれ天板係脱部２ａ・２ｂが形成され、隣接する本体Ｄ・Ｄの各天板体２・２の天板係脱部２ａ・２ｂ間に係脱摺動自在に架設される連結部材４を設け、天板体２の左右辺部の天板係脱部２ａ・２ｂのうち、一方の天板係脱部２ａは連結部材４を左右方向に突没摺動自在に配置可能な突没係脱部５に形成され、他方の天板係脱部２ｂは上記連結部材４の突没摺動により係脱自在な嵌脱穴部６に形成されているから、連結部材４を図７の没入状態から図９の突出状態に突出摺動させることにより隣接する枠本体１・１・１・１及び天板体２・２からなる本体Ｄ・Ｄを連結することができると共に連結部材４を図９の突出状態から図７の没入状態に没入摺動させることにより隣接する本体Ｄ・Ｄを分離することができ、合成樹脂製の二個の本体Ｄ・Ｄを容易に連結又は分離することができ、連結機構Ｒの構造を簡素化することができると共に使用の利便性を高めることができる。
【００２５】
かつ、この実施の第二形態例にあっても、図４、図５の如く、上記連結部材４は四角板状に形成され、一方の天板係脱部２ａの上記突没係脱部５は、連結部材４の両側面に摺接する摺接面５ａ・５ａ及び連結部材４の後面が当接する規制面５ｂからなる嵌合凹部５ｃに形成され、かつ、連結部材４の両側部に一対のガイド突片４ａ・４ａを形成し、嵌合凹部５ｃにガイド突片４ａ・４ａが摺動する一対の摺動長穴５ｄ・５ｄを形成し、一方の天板係脱部２ａに連結部材４を左右方向に突没摺動自在に配置し、連結部材４の先端部に弾性凸片４ｂを形成し、弾性凸片４ｂの先端に係脱凸部４ｃを形成し、他方の天板係脱部２ｂの嵌脱穴部６は、上記弾性凸片４ｂ及び係脱凸部４ｃが嵌脱する穴部６ａが形成され、さらに、連結部材４の底面に乗越凸部４ｄが形成され、連結部材４の左右端部に指掛凹部４ｅ・４ｅが形成され、図７の如く、嵌合凹部５ｃの底面に乗越凸部４ｄが乗り越え可能であって乗越凸部４ｄに当接して連結部材４を一方の天板係脱部２ａに停留可能な規制凸部５ｅが形成され、図９の如く、嵌脱穴部６の穴部６ａの内面上部に係脱凸部４ｃが嵌脱する嵌脱凸部６ｂが形成されているから、連結部材４の突没摺動を円滑に行うことができ、収納ケースＫの隣接する二個の本体Ｄ・Ｄを容易に連結又は分離することができ、連結機構Ｒの構造を簡素化することができると共に使用の利便性を高めることができる。
【００２６】
尚、本発明は上記実施の形態例のものに限られず、例えば、枠本体１の数、段数、大きさ、天板体２の形状、引出体３の個数、構造は用途に応じて定められるものである。
【００２７】
以上の如く、所期の目的を充分達成することができる。
【符号の説明】
【００２８】
Ｋ    収納ケース
Ｄ    本体
Ｒ    連結機構
１    枠本体
１ａ    底板
１ｂ    側板
１ｃ    後板
２    天板体
２ａ    天板係脱部
２ｂ    天板係脱部
３    引出体
４    連結部材
５    突没係脱部
６    嵌脱穴部
【図１】
2018110665.tif 000003
【図２】
2018110665.tif 000004
【図３】
2018110665.tif 000005
【図４】
2018110665.tif 000006
【図５】
2018110665.tif 000007
【図６】
2018110665.tif 000008
【図７】
2018110665.tif 000009
【図８】
2018110665.tif 000010
【図９】
2018110665.tif 000011
【図１０】
2018110665.tif 000012
【図１１】
2018110665.tif 000013